(57)【要約】      （修正有）【課題】引き出し付きキャビネットにおいて、引き込み力アシスト手段の閉方向の力が押し出し力アシスト手段の押し出し力を蓄積する力として使用されることがなく引き出しが確実に閉めることができる引き出し付きキャビネットを提供する。【解決手段】引き出し付きキャビネットの引出の開閉操作性を向上させるために、押し出し力アシスト手段と引き込み力アシスト手段２０を設け、さらに、引出を閉める際に、押し出し力アシスト手段の押し出し力を蓄積するための押し出し力蓄積領域６４を引き込み手段の引き込み力が発揮される引き込み力発揮領域５２とが重複しないように重複回避機構３０を設けた。【選択図】図６
2015066082.tif 000002
【特許請求の範囲】
【請求項１】
内部に収納空間を有するキャビネット本体と、
前記キャビネット本体の前記収納空間に対し進退可能な引き出しと、
前記引き出しを閉方向へ移動させる際に前記引き出しが全閉する直前になると前記引き出しに対して閉方向の力である引き込み力を付与する引き込み力発揮領域と、前記引き出しを全閉状態から開方向へ移動させた直後に前記引き込み力を蓄積する引き込み力蓄積領域とを有する引き込み力アシスト手段と、
前記引き出しを開方向へ移動させる際に、
前記引き込み力蓄積領域において前記引き出しに開方向の力である押し出し力を加え使用者の開動作を補助する押し出し力発揮領域と、前記引き出しを閉方向に移動させることで前記押し出し力を蓄積する押し出し力蓄積領域とを有する押し出し力アシスト手段と
を備えた引き出し付きキャビネットであって、
さらに、前記引き出し付きキャビネットは
前記押し出し力蓄積領域と前記引き込み力発揮領域とが重複し、前記引き込み力が前記押し出し力を蓄積するために使用されることが無いよう前記押し出し力蓄積領域を前記引き込み力発揮領域よりも開方向側に設ける重複回避機構を備えた
ことを特徴とする引き出し付きキャビネット。
【請求項２】
前記重複回避機構は、
前記押し出し力蓄積領域を前記引き出しの全開状態と全閉状態の間の全閉側に偏心して設けたことを特徴とする請求項１記載の引き出し付きキャビネット。
【請求項３】
前記押し出し力アシスト手段は
前記引き出しを閉方向に移動させることで前記押し出し力を蓄積する前記押し出し力蓄積領域において前記引き出しの移動量に応じて負荷が増加するようなばね部材から構成され、
前記押し出し力蓄積領域において、前記押し出し力を蓄積するために必要な前記引き出しを閉方向へ移動させる操作力の伝達を変更する伝達変更率変更機構を備えており、
前記伝達変換率変更機構は、
前記押し出し力蓄積領域において、前記ばね部材へ伝達される前記操作力の伝達変換率を高くする第一の押し出し力蓄積領域と、
前記第一の押し出し力蓄積領域よりも前記ばね部材へ伝達される前記操作力の前記伝達変換率が低い第二の押し出し領域と、を形成するように構成され、
前記第一の押し出し力蓄積領域は少なくとも前記第二の押し出し力蓄積領域より閉方向側に設けたことを特徴とする請求項２記載の引き出し付きキャビネット。
【請求項４】
前記第一の押し出し力蓄積領域は、
前記伝達変換率変更機構によって、前記操作力が前記第二の押し出し力蓄積領域終了時よりも減少し続けるよう前記伝達変換率を高くしたことを特徴とする請求項３記載の引き出し付きキャビネット。
【請求項５】
前記引き出しは、
前記引き出しの前面の左右方向の中央に使用者が握って前記引き出しを開閉できる操作部と、
前記押し出し力を蓄積するために前記ばね部材に閉方向の力を加えるように作用する押し出し力伝達作用部を備え、
前記押し出し力伝達作用部は、
使用者が前記操作部を握って前記引き出しを閉方向に移動させる際に、前記引き出しが左右方向に回転することが無いよう前記引き出しの後面の左右方向の中央に設けた
ことを特徴とする請求項１乃至４に記載の引き出し付きキャビネット。
【発明の詳細な説明】
【技術分野】
【０００１】
本発明は、引き出しを有するキャビネット、特に、システムキッチンの引き出し付きキャビネットに使用するのに好適なキャビネットに関する。
【背景技術】
【０００２】
近年、システムキッチンにおいて引き出しの開閉操作性を向上させるキャビネットが普及している。
【０００３】
特許文献１には、キャビネット本体に対して開閉方向にスライドすることが可能な引き出しと、引き出しを開ける方向である開方向に力を付与する押し出し力アシスト手段と、引き出しを閉める方向である閉方向に力を付与する引き込み力アシスト手段を備えた引き出し付きキャビネットが開示されている。
【先行技術文献】
【特許文献】
【０００４】
【特許文献１】特開２００７−２５２４９１号公報
【発明の開示】
【発明が解決しようとする課題】
【０００５】
上記の特許文献１に記載されたキャビネットは、上述した通り、押し出し力アシスト手段と引き込み力アシスト手段を備えており、使用者が小さい力で引き出しを開けることができ、且つ、所定の領域まで引き出しを押し込むことで自動で引き出しを閉めることができるが、引き込み力アシスト手段の力が付与される領域である引き込み力発揮領域と、押し出し力アシスト手段の開方向への力を蓄積する領域である押し出し力蓄積領域との設置の状態によっては、押し出し力の蓄積のために引き込み力が使用され引き出しを閉める力が不足してしまい引き出しが完全に閉まらない恐れがあった。
【０００６】
本発明者らは、引き出し付きキャビネットの引き出しの開閉操作性を向上させることを目的として、引き出しを開ける際には小さい力で開けることができ、引き出しを閉める際には引き出しを確実に閉めることができる引き出し付きキャビネットを提供することを目的として鋭意検討を行った。
【０００７】
使用者が引き出しを開ける動作時には、引き出しが全閉の状態である静止した状態から動かさなければならないため、静止摩擦力が加わることとなる。さらに、引き込み力アシスト手段の引き込み力を蓄えなければならず、使用者は引き出しを開ける動作時に、静止摩擦力に加えて引き込み力アシスト手段の引き込み力を蓄えるための力が必要となり、引き出しを開ける際には大きな力が必要となる。
【０００８】
そこで、引き出しを小さい力で開けるために、押し出し力アシスト手段を設け、引き出しに押し出し力を与えて小さい力で開ける動作を行うことができるようにしたが、押し出し力アシスト手段を引き出しが全閉状態付近で力を与えるようにすると、押し出し力を蓄積する領域も全閉状態付近で行うこととなり、押し出し力を蓄積する領域と引き込み力が発揮される領域とが重複し、引き込み力が押し出し力を蓄積するための力として使用され、引き出しを閉める力が不足してしまい引き出しが完全に閉まらないといった課題が生じた。
【０００９】
本発明は、引き出し付きキャビネットにおいて開閉操作性を向上させる際の課題に鑑みてなされたものであり、引き込み力アシスト手段の閉方向の力が押し出し力アシスト手段の押し出し力を蓄積する力として使用されることがなく引き出しが確実に閉めることができる引き出し付きキャビネットを提供することを目的としたものである。
【課題を解決するための手段】
【００１０】
上記課題を解決するために、本発明に係る引き出し付きキャビネットは、内部に収納空間を有するキャビネット本体と、キャビネット本体の収納空間に対し進退可能な引き出しと、引き出しを閉方向へ移動させる際に引き出しが全閉する直前になると引き出しに対して閉方向の力である引き込み力を付与する引き込み力発揮領域と、引き出しを全閉状態から開方向へ移動させた直後に引き込み力を蓄積する引き込み力蓄積領域とを有する引き込み力アシスト手段と、引き出しを開方向へ移動させる際に、引き込み力蓄積領域において引き出しに開方向の力である押し出し力を加え使用者の開動作を補助する押し出し力発揮領域と、引き出しを閉方向に移動させることで押し出し力を蓄積する押し出し力蓄積領域とを有する押し出し力アシスト手段とを備えた引き出し付きキャビネットであって、さらに、引き出し付きキャビネットは押し出し力蓄積領域と引き込み力発揮領域とが重複し、引き込み力が押し出し力を蓄積するために使用されることが無いよう押し出し力蓄積領域を引き込み力発揮領域よりも開方向側に設ける重複回避機構を備えたことを特徴とする。
【００１１】
第一の発明は、押し出し力蓄積領域を引き込み力発揮領域と重複しないように開方向側に設ける重複回避機構を備えることで、押し出し力の蓄積が終了した状態で引き出しが引き込み力発揮領域を移動するため、押し出し力を蓄積するための力として引き込み力が使用されることを防止でき、引き出しを確実に閉めることができる。
【００１２】
第二の発明は、重複回避機構は、押し出し力蓄積領域を引き出しの全開状態と全閉状態の間の全閉側に偏心して設けたことを特徴とする。このように押し出し力蓄積領域を全閉側に偏心して設けることにより、使用者が引き出しを全開まで開けなかった場合においても、押し出し力を蓄積することなく引き出しを閉めることがないため、次回押し出し力を利用して引き出しを開けることができ、軽い力で引き出しを開けることができる。
【００１３】
第三の発明は、押し出し力アシスト手段は引き出しを閉方向に移動させることで押し出し力を蓄積する押し出し力蓄積領域において引き出しの移動量に応じて負荷が増加するようなばね部材から構成され、押し出し力蓄積領域において、押し出し力を蓄積するために必要な引き出しを閉方向へ移動させる操作力の伝達を変更する伝達変更率変更機構を備えており、伝達変換率変更機構は、押し出し力蓄積領域において、ばね部材へ伝達される操作力の伝達変換率を高くする第一の押し出し力蓄積領域と、第一の押し出し力蓄積領域よりもばね部材へ伝達される操作力の伝達変換率が低い第二の押し出し領域と、を形成するように構成され、第一の押し出し力蓄積領域は少なくとも第二の押し出し力蓄積領域より閉方向側に設けたことを特徴とする。押し出し力アシスト手段の押し出し力は、引き出しを開ける際の開動作を補助するために開方向に力を加えるため、引き出しを閉めようと閉方向に移動させる場合、引き出しの重さに加えて、押し出し力を蓄積するための力が必要となり、押し出し力蓄積領域を移動中には使用者は閉方向に大きな力を加えなければならず、大きな力を加えた状態で引き込み力発揮領域に到達してしまうと、使用者の閉方向への大きな力に加えて引き込み力が作用し、さらに大きな力となって引き出しが閉方向へ移動してしまい、引き出しが閉まる勢いで引き出しが完全に閉まらないことや引き込み力アシスト手段に過負荷がかかり故障する恐れがあるが、第三の発明は伝達変換率変更機構によって、押し出し力を蓄積するばね部材へ伝達される操作力の伝達変換率を高め、第一の押し出し力蓄積領域の移動中の操作力の増加量を第二の押し出し力蓄積領域での操作力の増加量より少なくすることができ、第一の押し出し力蓄積領域では、操作力の増加量が少ないため使用者は第二の押し出し力蓄積領域を移動中に比べて、さらに加えようとする力を抑えることができる。そのため、使用者がさらに力を加えようとする意識が弱まり、引き出しを閉方向に力を増大させながら引き込み力発揮領域に到達することを抑制することができ、引き出しを閉める勢いで引き出しを完全に閉めることができないことを防止できる。さらに、引き出しを閉める際の勢いが強くなることがないため、引き込み力アシスト手段に過負荷がかかることがなく引き込み力アシスト手段が故障することを防止できる。
【００１４】
第四の発明は、第一の押し出し力蓄積領域は、伝達変換率変更機構によって、操作力が第二の押し出し力蓄積領域終了時よりも減少し続けるよう伝達変換率を高くしたことを特徴とする。第一の押し出し力蓄積領域は、伝達変換率変更機構によって、ばね部材へ伝達される操作力の伝達変換率を高め、第二の押し出し力蓄積領域終了時より操作力を減少させることで、引き込み力発揮領域に近づくにつれて使用者は操作力を弱めることができ、使用者が閉方向に力を増大させながら引き込み力発揮領域に到達することをより確実に抑制することができる。したがって、引き出しに加える操作力を増大させながら引き出し力発揮領域に到達することがなく、使用者の大きな操作力に加えて引き込み力が発揮されることがない。したがって、引き込み力発揮領域で引き出しが閉方向に勢いよく移動させる必要がなく、引き出しを閉める際の反動で一度全閉状態に到達した引き出しが飛び出すことを防止できることや引き込み力アシスト手段に過負荷がかかり故障することも防止することができる。
【００１５】
第五の発明は、引き出しは、引き出しの前面の左右方向の中央に使用者が握って引き出しを開閉できる操作部と、押し出し力を蓄積するためにばね部材に閉方向の力を加えるように作用する押し出し力伝達作用部を備え、押し出し力伝達作用部は、使用者が前記操作部を握って引き出しを閉方向に移動させる際に、引き出しが左右方向に回転することが無いよう引き出しの後面の左右方向の中央に設けたことを特徴とする。ばね部材に押し出し力を蓄積するための押し出し力伝達作用部と使用者が握って開閉操作を行う操作部とは、左右方向において同じ位置とすることができ、操作部を握って閉方向に加える力と押し出し力伝達作用部が押し出し力を蓄積するために受ける開方向の力とが左右方向でずれることがなく、引き出しが左右方向に回転することがないため、軽い力で引き出しを閉方向に移動させることができる。
【発明の効果】
【００１６】
本発明によれば、引き出し付きキャビネットにおいて引き込み力アシスト手段の引き込み力が押し出し力アシスト手段の押し出し力を蓄積するための力として使用されることがなく引き出しを確実に閉めることができる引き出し付きキャビネットを提供することを目的としたものである。
【図面の簡単な説明】
【００１７】
【図１】引き出し付きキャビネットを示す斜視図
【図２】引き出し付きキャビネットを示す側面図
【図３】引き出し付きキャビネットを示す上面図
【図４】引出が全閉状態を示す上面図
【図５】引出を開ける際の操作力を示す関係図
【図６】引き出し付きキャビネットを示す上面図
【図７】重複回避機構の詳細図
【図８】押し出し力蓄積完了後を示す上面図
【図９】伝達変換率変更機構を示す上面図
【図１０】伝達変換率変更機構と伝達変換率と操作力を示す図
【発明を実施するための形態】
【００１８】
以下、添付図面を参照しながら本発明の実施の形態について説明する。理解を容易にするため、各図面において同一の構成要素に対しては可能な限り同一の符号を付し、重複する説明は省略する。
【００１９】
まず、図１、図２、図３を参照して本発明の引き出し付きキャビネットの構成を説明する。
図１は本発明の実施形態による引き出し付きキャビネットを示す斜視図である。図２は本発明の実施形態による引き出し付きキャビネットを示す側面図である。図３は本発明の実施形態による引き出し付きキャビネットを示す上面図である。
【００２０】
図１に示すようにシステムキッチンに本発明の実施形態であるキャビネット１が設置されている。キャビネット１には引出２と操作部３が備えられている。
【００２１】
さらに、図２及び図３に示すように、キャビネット１は、引出２の左右両側に備えられたレール４と、調理器具等を収納するための収納スペース５を有している。引出２は収納スペース５内を矢印Ａ方向に移動することができる。さらに、引出２を矢印Ａ方向に移動する際は、引出２の前方に設けられている操作部３を把持して移動させることができる。
【００２２】
キャビネット１は、引出２を閉める過程において、引出２を全閉付近まで操作することで、引出２に閉方向の力である引き込み力を付与する引き込み力アシスト手段２０を備える。引き込み力アシスト手段２０の具体的には、押し出し力アシスト手段１０と同様に、弾性力を有するバネ等で構成されることが好ましい。また、引出２が閉じられている状態で、引出２を開ける方向に力を付与する押し出し力アシスト手段１０と、押し出し力アシスト手段１０は引出２を開ける方向の力である押し出し力を付与するために引出２を開ける方向の押し出し力を蓄えるばね部材１２とを備える。
【００２３】
さらに、キャビネット１は、引出２に押し出し力アシスト手段１０の押し出し力を伝達するために、引出２の引出後面７に備えられている押し出し力伝達作用部１４と、引出２を閉める際に、押し出し力アシスト手段１０の押し出し力を蓄積するタイミングと引き込み力アシスト手段２０の閉方向の力である引き込み力が発揮されるタイミングが重ならないようにする重複回避機構３０と、押し出し力アシスト手段１０の押し出し力を蓄積する際に、引出２の操作力を効率良くばね部材１２に伝達する伝達変換率変更機構４０を備えている。
【００２４】
キャビネット１は、引き込み力アシスト手段２０を有していることから、使用者が引出２を閉方向に移動させて行くことで、引き込み力アシスト手段１０によって引出２に引き込み力が働き、全閉状態まで力を加えることなく完全に引出２を閉じることができる。さらに、押し出し力アシスト手段１０を有していることから、引出２が閉じられている状態から引出２を開ける際に、引出２を開ける方向の押し出し力を蓄えているばね部材１２により、引出２に開ける方向の押し出し力が付与されるため、引出２を軽い力で引き出すことができる。
【００２５】
さらに、キャビネット１は、引出２に押し出し力アシスト手段１０の押し出し力を伝達するために、引出２の引出後面７に備えられている押し出し力伝達作用部１４と、引出２を閉める際に、押し出し力アシスト手段１０の押し出し力を蓄積するタイミングと引き込み力アシスト手段２０の閉方向の力である引き込み力が発揮されるタイミングが重ならないようにする重複回避機構３０と、押し出し力アシスト手段１０の押し出し力を蓄積する際に、引出２の操作力を効率良くばね部材１２に伝達する伝達変換率変更機構４０を備えている。
【００２６】
次に、図４及び図５を参照して、引出２を開ける動作について説明する。図４は引出２が全閉状態の上面図である。図５は引出２を開ける際の操作力を示す関係図である。
図４に示すように、レール４に備えられる引き込み力アシスト手段１０は、引出２が閉まっている状態では、引き込み力アシスト手段１０には引出２を引き込むための引き込み力が蓄えられておらず、引き込み力アシスト手段１０に引き込み力を蓄えるために、引出２が全閉されている状態から引き込み力蓄積領域５４で引き込み力が蓄えられるように形成されている。
また、図４に示す通り、キャビネット１には、引出２が閉まっている状態から引出２を開ける際の操作力を軽減するために押し出し力を付与する領域である押し出し力発揮領域６２が、引出が全閉されている状態から押し出し力を蓄積しているばね部材１２が力を開放するまで形成されている。
【００２７】
図５は、閉まっている状態から引出２を開ける時の、引出２に加わる力と操作力の関係を示したものである。
図５（ａ）に示すように、引出２が閉まっている状態で押し出し力アシスト手段２０が備えられていない場合では、引き込み力を蓄積する力や、引出に収納されている収納物の重さによる静止摩擦が加わることになり操作力が大きくなる。図５（ｂ）に示すように、押し出し力アシスト手段２０を設けることで、押し出し力アシスト手段２０によって、引出２に開方向の力である押し出し力を付与することで、引出２を開ける際の操作力を軽減することができる。
【００２８】
次に図６、図７を参照して重複回避機構３０について説明を行う。図６はキャビネット１の上面図であり、図７は重複回避機構３０の詳細図である。
図６、図７に示す通り、重複回避機構３０は、キャビネット１の背面側に設けられており、引出２の引出後面７の左右方向の中央に備えられている押し出し力伝達作用部１４、キャビネット１に固定され回転運動するアーム３２と、ばね部材１２と、ばね部材１２の可動側に固定されているキャッチャ３６と、キャッチャ３６とアーム３２をつないでいるリンク３４が備えられている。
【００２９】
図６のように、引出２が開いている状態において重複回避機構３０は、引出２の開方向側に飛び出すように構成されている。このように、重複回避機構３０を開方向側に飛び出すように構成することで、全閉付近で引き込み力を引出２に付与する引き込み力発揮領域５２よりも開方向側に押し出し力を蓄える押し出し力蓄積領域６４を設けることができ、引き込み力発揮領域５２と押し出し力蓄積領域６４が重複することを防止できる。さらに、重複回避機構３０は、押し出し力蓄積領域６４を引出の全開状態と全閉状態の間で、全閉側に偏心して設けることが好ましい。
【００３０】
このように、引き込み力発揮領域５２と押し出し力蓄積領域６４の重複を回避することで、押し出し力の蓄積が終了した後に引出２に引き込み力が付与されるため、引き込み力が押し出し力を蓄積するための力として使用されることがなく、引出２が全閉の状態に到達する前に引き込み力による移動が終了することを防止することができる。
【００３１】
また、押し出し力蓄積領域６４を全閉側に偏心して設けることで、引出２の前方側に収納された収納物を取り出す際に、引出２を半開程度しか開けなかった場合も、押し出し力を蓄積することができるため、次回押し出し力を利用して引き出しを開けることができ、軽い力で引出を開けることができる。
【００３２】
次に、図６、図７、図８を参照して引出２を閉める過程について説明する。図８は押し出し力蓄積完了後の上面図である。
図６に示すように、引出２が開いている状態では、引出２を開ける際に押し出し力アシスト手段１０の押し出し力が使用され、押し出し力アシスト手段１０のばね部材１２は押し出し力が蓄積されていない状態であり、重複回避機構３０は開方向側に飛び出している状態である。
【００３３】
図７に示すように、引出２を閉方向側に移動させ、引出２の引出後面７に備えられている押し出し力伝達作用部１４と重複回避機構３０とが接触する押し出し力蓄積領域６４まで到達する。さらに、引出２を閉方向側に移動させ、押し出し力伝達作用部１４が押し出し力アシスト手段２０の重複回避機構３０のアーム３２を押すことでばね部材１２が伸ばされ押し出し力を蓄積する。ばね部材１２に所定の押し出し力が蓄積されるとキャッチャ３６によりロックされ、ばね部材１２が伸ばされた状態で固定され押し出し力の蓄積が終了する。図８に示すように、押し出し力蓄積終了後の押し出し力伝達作用部１４は、アーム３２の切欠部３８を通るためばね部材１２の力が引出２に作用することがなく、さらに引出２を閉方向に移動させると、引出２は引き込み力発揮領域５２に到達し、使用者が引出２から手を離しても自動で閉まるように構成されている。
【００３４】
次に、図９を参照して伝達変換率変更機構４０について説明する。図９は伝達変換率変更機構４０の上面図である。アーム３２の片側はキャビネット底面６に固定されており、他端が回転するように構成されている。アーム３２の他端はリンク３４と連結しており、リンク３４の他端はキャッチャ３６と連結している。キャッチャ３６の他端は、ばね部材１２と接続されており、アーム３２が反時計回りに回転することで、ばね部材１２が伸び、ばね部材１２に押し出し力が蓄積される。また、ばね部材１２の押し出し力が開放され、ばね部材１２が縮むとアーム３２は時計回りに回転する。
ここで、伝達変換率について説明する。図８において引出２がアーム３２を押す力をＦｄ、キャッチャ３６がばね部材１２を伸ばす力Ｆｓとする。この時捜査力の一部でアーム３２を押す力Ｆｄに対する、ばね部材１２を伸ばす力Ｆｓの割合を伝達変換率とする。
引出２を閉方向に移動し、押し出し力伝達作用部１４から押し出し力アシスト手段１０に加えられる力は、アーム３２とリンク３４を経由してばね部材１２に伝達される。アーム３２とリンク３４を経由してばね部材１２に押し出し力を蓄積することで、図９に示す、アーム３２の角度θが変わるため押し出し力を蓄積するために必要となる操作力が変更される。アーム３２の角度θが所定の角度よりも小さくなると、使用者は引出２に加える操作力を小さくすることができる。伝達変換率変更機構４０は具体的には、小さい力で大きな力を発生させることができるトグル機構を用いることが好ましい。
【００３５】
次に図１０を参照して引出２を閉める動作時の開状態から全閉状態までの操作力について説明する。図１０は、伝達変換率変更機構４０と操作力を示す図である。
【００３６】
そこで図９のような機構を使用することで、押し出し力蓄積領域６４は伝達変換率の異なる領域に分けることができる。図１０に示すようにばね部材１２に加わる力が大きくなるように伝達変換率を高めている第１の押し出し力蓄積領域６６と、第１の押し出し力蓄積領域６６よりも伝達変換率が低い第２の押し出し力蓄積領域６８を形成している。第一の押し出し力蓄積領域６６は第二の押し出し力蓄積領域６８よりも閉方向側に形成されている。
【００３７】
引出２を閉方向に閉める過程においての操作力として図１０に示すように、引出２を閉める際の閉め始めの操作力は、引出２を静止状態から動状態にするため静止摩擦が発生し、大きな操作力を必要とする。引出２が閉方向に移動し始めると慣性の力で引出２が動くため、移動するにつれて必要な操作力は減少し、ある所定の操作力となる。
【００３８】
さらに、所定の操作力で引出２を閉方向側に操作すると、押し出し力アシスト手段１０の押し出し力を蓄積する押し出し力蓄積領域６４に到達する。押し出し力蓄積領域６４では、ばね部材１２に押し出し力を蓄積しなければならず、引出２を閉方向側に移動させるために必要な操作力が大きくなってしまう。さらに、押し出し力蓄積領域６４での移動距離が長くなるに従い、押し出し力を蓄積するために必要な力が線形に増加するようなばね部材１２を用いた場合、ばね部材１２に押し出し力を蓄積するために必要な力が線形に増加することになる。第二の押し出し力蓄積領域６８では伝達変換率が低いため、使用者が閉方向に加える操作力は増加する。その後、さらに、引出２を閉方向に動かすことにより伝達変換率が高い第一の押し出し力蓄積領域に到達する。第一の押し出し力蓄積領域６６は引出２を移動させるにつれて伝達変換率が上昇するため、使用者が引出２を閉方向に移動させる操作力は減少する。図９を参照して伝達変換率が上昇することを説明する。引出２が第二の押し出し力蓄積領域６８を通過中はアーム３２の角度θが大きく使用者が引出２に加える操作力は上昇してしまうが、第一の押し出し力蓄積領域６６に到達すると、アーム３２の角度θが所定の角度θよりも小さくなることで、伝達変換率を上昇させることができる。したがって、使用者が引出２を操作する操作力は減少する。
【００３９】
このように、第一の押し出し力蓄積領域６６に到達すると、使用者は引出２を閉方向に加える力を弱めることができ、閉方向への力を増大させながら引き込み力発揮領域５２に到達することがない。したがって、引出２に閉方向への操作力が大きい状態で引き込み力発揮領域５２に到達することがなく、使用者の閉方向の力に加えて引き込み力アシスト手段２０の引き込み力が加わることがなく、引出２が勢いよく閉まらずに引き込み力アシスト手段に過負荷がかかることなく、引き込み力アシスト手段２０が故障することを防止することができる。
【００４０】
以上の通り、本発明の引き出し付きキャビネットにおいて開閉操作性を向上させる際に、引き込み力アシスト手段の閉方向の力が押し出し力アシスト手段の押し出し力を蓄積する力として使用されることがなく引き出しが確実に閉めることができる引き出し付きキャビネットを提供することができる。
【符号の説明】
【００４１】
１：キャビネット
２：引出
３：操作部
４：レール
５：収納スペース
６：キャビネット底面
７：引出後面
１０：押し出し力アシスト手段
１２：ばね部材
１４：押し出し力伝達作用部
２０：引き込み力アシスト手段
３０：重複回避機構
３２：アーム
３４：リンク
３６：キャッチャ
３８：切欠部
４０：伝達変換率変更機構
５２：引き込み力発揮領域
５４：引き込み力蓄積領域
６２：押し出し力発揮領域
６４：押し出し力蓄積領域
６６：第一の押し出し力蓄積領域
６８：第二の押し出し力蓄積領域
【図１】
2015066082.tif 000003
【図２】
2015066082.tif 000004
【図３】
2015066082.tif 000005
【図４】
2015066082.tif 000006
【図５】
2015066082.tif 000007
【図６】
2015066082.tif 000008
【図７】
2015066082.tif 000009
【図８】
2015066082.tif 000010
【図９】
2015066082.tif 000011
【図１０】
2015066082.tif 000012